(57)【要約】【課題】  複数の無線基地局を１つの仮想無線基地局として設定可能な無線通信システムにおいて、無線基地局に登録される携帯端末に変更が生じた場合に、仮想無線基地局の設定を自動で更新する。【解決手段】  前記無線制御装置が、前記複数の無線基地局のうちの２以上を統合して仮想的に１つの無線基地局（仮想無線基地局）に設定する仮想無線基地局設定手段、前記複数の携帯端末の登録情報を前記無線基地局経由で取得し、当該携帯端末を経由した無線基地局に登録する端末登録手段を備え、この端末登録手段により、第１仮想無線基地局に登録されていた第１携帯端末群が他の複数の無線基地局に変更して登録された場合に、前記仮想無線基地局設定手段が前記他の複数の無線基地局を統合して第２仮想無線基地局に設定する。【選択図】          図１
2008306429.tif 000002
【特許請求の範囲】
【請求項１】
無線通信サービスを提供する特定のエリア内の要所に配置された複数の無線基地局と、これらの無線基地局の通信を制御する無線制御装置と、前記無線基地局のいずれかと通信することにより前記無線通信サービスを利用する複数の携帯端末とを含む無線通信システムにおいて、
前記無線制御装置は、
前記複数の無線基地局のうちの２以上を統合して仮想的に１つの無線基地局（仮想無線基地局）に設定する仮想無線基地局設定手段、
前記複数の携帯端末の登録情報を前記無線基地局経由で取得し、当該携帯端末を経由した無線基地局に登録する端末登録手段
を備え、
この端末登録手段により、第１仮想無線基地局に登録されていた第１携帯端末群が他の複数の無線基地局に変更して登録された場合に、前記仮想無線基地局設定手段が前記他の複数の無線基地局を統合して第２仮想無線基地局に設定することを特徴とする無線通信システム。
【請求項２】
無線通信サービスを提供する特定のエリア内の要所に配置された複数の無線基地局と、これらの無線基地局の通信を制御する無線制御装置と、前記無線基地局のいずれかと通信することにより前記無線通信サービスを利用する複数の携帯端末とを含む無線通信システムにおいて、
前記無線制御装置は、
前記複数の無線基地局のうちの２以上を統合して仮想的に１つの無線基地局（仮想無線基地局）に設定する仮想無線基地局設定手段、
前記複数の携帯端末の登録情報を前記無線基地局経由で取得し、当該携帯端末を経由した無線基地局に登録する端末登録手段
を備え、
この端末登録手段により、複数の無線基地局それぞれに登録された携帯端末が他の無線基地局に変更して登録された場合に、２以上の無線基地局に登録される携帯端末の合計台数または／および合計呼量がそれぞれの規定の閾値以下であれば、前記仮想無線基地局設定手段が当該２以上の無線基地局を統合して仮想無線基地局に設定することを特徴とする無線通信システム。
【請求項３】
前記端末登録手段により、複数の無線基地局それぞれに登録された携帯端末が他の無線基地局に変更して登録された場合に、予め設定された仮想無線基地局に登録される携帯端末の合計台数または／および合計呼量がそれぞれの規定の閾値より多ければ、前記仮想無線基地局設定手段が当該仮想無線基地局を解消して個別の複数の無線基地局に設定することを特徴とする請求項２に記載の無線通信システム。
【発明の詳細な説明】
【技術分野】
【０００１】
この発明は、例えば無線ＬＡＮなどの無線基地局と無線端末からなる無線通信システムにおける、置局設定技術に関する。
【背景技術】
【０００２】
従来の無線ＬＡＮなどの無線通信システムにおいては、隣接する複数の基地局を同一のチャネルに設定し、仮想的に一つの基地局として動作させる構成（バーチャルアクセスポイント、以降、ＶＡＰと表記）を用いる場合がある。このような形態を、ビル内の無線ＬＡＮシステムにおいて構成する場合、ビル内のフロア内セクションのレイアウトを変更するたびに、変更前の人員（携帯端末保持者）で置局設定されていたＶＡＰ設定値を変更後の人員（セクションの移動）に最適な値に再設定する必要がある。
【０００３】
【特許文献１】特開平１１−３４６２２４
【発明の開示】
【発明が解決しようとする課題】
【０００４】
上記従来の無線通信システムにおいては、最適な無線ＬＡＮ環境を得るためには、レイアウト変更をするたびに、変更後のレイアウトに最適なＶＡＰ設定値を検討し、そのＶＡＰ設定値を無線制御装置に保守端末装置経由で手動により設定しなければならず、時間がかかるという問題点があった。
【０００５】
この発明は、上記のような問題点を解消するためになされたものであって、レイアウト変更等が生じた場合に、ＶＡＰ設定値を自動で更新する無線通信システムを提供することを目的とする。
【０００６】
また、レイアウト変更の際に基地局あたりの登録端末台数が変わる場合に、台数に応じたＶＡＰ設定値を設定する無線通信システムを提供することを目的とする。
【０００７】
さらに、端末の登録台数のみならず、端末の呼量に応じたＶＡＰ設定値を設定する無線通信システムを提供することを目的とする。
【課題を解決するための手段】
【０００８】
第１の発明に係る無線通信システムは、無線通信サービスを提供する特定のエリア内の要所に配置された複数の無線基地局と、これらの無線基地局の通信を制御する無線制御装置と、前記無線基地局のいずれかと通信することにより前記無線通信サービスを利用する複数の携帯端末とを含む無線通信システムであって、前記無線制御装置が、前記複数の無線基地局のうちの２以上を統合して仮想的に１つの無線基地局（仮想無線基地局）に設定する仮想無線基地局設定手段、前記複数の携帯端末の登録情報を前記無線基地局経由で取得し、当該携帯端末を経由した無線基地局に登録する端末登録手段を備え、この端末登録手段により、第１仮想無線基地局に登録されていた第１携帯端末群が他の複数の無線基地局に変更して登録された場合に、前記仮想無線基地局設定手段が前記他の複数の無線基地局を統合して第２仮想無線基地局に設定するようにしたものである。
【０００９】
第２の発明に係る無線通信システムは、無線通信サービスを提供する特定のエリア内の要所に配置された複数の無線基地局と、これらの無線基地局の通信を制御する無線制御装置と、前記無線基地局のいずれかと通信することにより前記無線通信サービスを利用する複数の携帯端末とを含む無線通信システムであって、前記無線制御装置が、前記複数の無線基地局のうちの２以上を統合して仮想的に１つの無線基地局（仮想無線基地局）に設定する仮想無線基地局設定手段、前記複数の携帯端末の登録情報を前記無線基地局経由で取得し、当該携帯端末を経由した無線基地局に登録する端末登録手段を備え、この端末登録手段により、複数の無線基地局それぞれに登録された携帯端末が他の無線基地局に変更して登録された場合に、２以上の無線基地局に登録される携帯端末の合計台数または／および合計呼量がそれぞれの規定の閾値以下であれば、前記仮想無線基地局設定手段が当該２以上の無線基地局を統合して仮想無線基地局に設定するようにしたものである。
【発明の効果】
【００１０】
第１の発明によれば、端末登録情報を無線基地局経由で取得し、この情報に基づき第１仮想無線基地局に登録されていた第１携帯端末群が他の複数の無線基地局に変更登録された場合に、仮想無線基地局の設定を自動的に更新するようにしたので、置局設定操作の作業が不要で周波数利用効率の良い無線通信システムを得ることができる。
【００１１】
第２の発明によれば、端末登録情報を無線基地局経由で取得し、この情報に基づき複数の携帯端末が他の複数の無線基地局に変更登録された場合に、２以上の無線基地局に登録される携帯端末の合計台数または／および合計呼量に基づき仮想無線基地局の設定を自動的に更新するようにしたので、置局設定操作の作業が不要で周波数利用効率の良い無線通信システムを得ることができる。
【発明を実施するための最良の形態】
【００１２】
実施の形態１．
以下、この発明の実施の形態１を、図を用いて説明する。図１は、この発明の実施の形態１に係る無線通信システムの構成図である。図において、本発明の無線通信システムは、交換制御を行うＳＩＰ（Ｓｅｓｓｉｏｎ  Ｉｎｉｔｉａｔｉｏｎ  Ｐｒｏｔｏｃｏｌ）サーバ１１、無線通信サービスを提供するための制御を行う無線制御装置１２、この無線通信サービスが提供されるエリアであるビルのフロア内の要所に配置される無線基地局１３、１４、１５（図示しない無線基地局１６、１７、１８）、この無線基地局と通信することにより無線通信サービスを利用する携帯端末２７（２７Ａ、２７Ｂ、２７Ｃ）を備えるネットワークで構成される。無線制御装置１２は、各無線基地局に対応付けて携帯端末を登録し、無線基地局ごとの端末収容台数を把握する手段を有する。図２は、この無線通信システムをビルのフロア内に構成した場合のフロア概略図である。無線基地局１３乃至１８は、このフロア内に配置される無線基地局であり、それぞれ個別セルとしてサービスエリア１９乃至２４を有する。各サービスエリアには、携帯端末２７を保持する人員の属するセクションがそれぞれ対応している。
【００１３】
図１において、携帯端末２７Ａは、セクションＡに属する人員の保持する携帯端末群、携帯端末２７Ｂは、セクションＢに属する人員の保持する携帯端末群、携帯端末２７Ｃは、セクションＣに属する人員の保持する携帯端末群を表す。レイアウト変更前の状態において、セクションＡ、Ｂ、Ｃは、それぞれ、基地局１３、１４、１５のサービスエリア１９、２０、２１に位置している。これらの構成のうち、無線基地局１３と無線基地局１４は、使用する周波数チャネルなどが統制されて仮想的に一つの無線基地局装置とみなすことができるバーチャルアクセスポイント（以降、ＶＡＰと表記）２５を構成する。このＶＡＰ２５はサービスエリア１９および２０の携帯端末群２７Ａ、２７Ｂに対してサービスを提供可能である。また、無線基地局１７と無線基地局１８は、同様にＶＡＰ２６を構成し、サービスエリア２３および２４の携帯端末群（図示しない）に対してサービスを提供する。無線基地局１５、１６は、ＶＡＰを構成せず、それぞれ個別セルであるサービスエリア２１、２２それぞれの携帯端末群に対して個別にサービスを提供する。前記無線制御装置１２は前記ＶＡＰを設定する手段を有し、設定されたＶＡＰ２５、２６に関する情報、および個別セルである無線基地局１５，１６に関する情報を登録する。
【００１４】
図３は、この発明の実施の形態１に係る無線通信システムのレイアウト変更後の構成図を示す。また、図４は、同じくレイアウト変更後のフロア概略図を示す。このレイアウト変更によって、レイアウト変更前には無線基地局１３のサービスエリア１９に位置していたセクションＡが無線基地局１６のサービスエリア２２へ、無線基地局１４のサービスエリア２０に位置していたセクションＢが無線基地局１５のサービスエリア２１へ、無線基地局１５のサービスエリア２１に位置していたセクションＣが無線基地局１８のサービスエリア２４へ移っている。図４に示すように、無線基地局１３および１４から構成されるＶＡＰ２５はそのままであるが、無線基地局１７および１８で構成されていたＶＡＰ２６は解消されて、無線基地局１７、１８は、それぞれ個別セルであるサービスエリア２３、２４それぞれの携帯端末群に対して個別にサービスを提供する。また、無線基地局１５と無線基地局１６は、新たにＶＡＰ３１を構成し、サービスエリア２１および２２の携帯端末群に対してサービスを提供する。
【００１５】
次に、この実施の形態１のレイアウト変更時の動作について、説明する。まず、レイアウト変更のあった場合、無線制御装置１２は、フロア内の携帯端末２７のアソシエーション情報または位置登録情報（以下、登録情報）を無線基地局経由で取得する。このとき携帯端末２７は、その報知チャネルを最も高いレベルで受信できた無線基地局に対してアソシエーション要求信号を送信する。無線制御装置１２は、アソシエーション要求信号を受信し取得した登録情報に基づき携帯端末２７を経由した無線基地局ごとに登録する。この結果、携帯端末群２７Ａおよび２７Ｂが、それぞれ無線基地局１６、無線基地局１５に登録された場合、ＶＡＰ２５のサービスエリアに位置していたセクションＡおよびＢが、無線基地局１６のサービスエリア２２、無線基地局１５のサービスエリア２１にそれぞれ変更になったと判断し、無線基地局１６および１５で新たなＶＡＰ３１を構成するように設定する。尚、無線制御装置１２が、レイアウト変更後の端末登録情報を取得するタイミングとしては、当該フロアの各セクションに属する人員（従業員等）が、携帯端末を自席に置いて帰宅した後のような夜間が適当である。
【００１６】
以上のように、この実施の形態１の無線通信システムにおいては、レイアウト変更後に、端末登録情報を無線基地局経由で取得し、この情報に基づきＶＡＰの構成を自動的に更新するようにしたので、置局設定操作の作業が不要となり、レイアウト変更に対応容易で周波数利用効率の良い無線通信システムを得ることができる。
【００１７】
実施の形態２．
以下、この発明の実施の形態２を説明する。レイアウト変更前の無線通信システムの構成状態は実施の形態１と同様とする。レイアウト変更後、無線制御装置１２は、取得した端末登録情報に基づき、各無線基地局ごとの端末収容台数をカウントする。予め登録されている無線基地局１３乃至１８のレイアウト構成（フロア概略図）を参照して、隣り合う無線基地局どうしの登録端末台数を加算する。図５において、近接した基地局１５、１６、１７に登録された端末台数の合計を把握し、図６に示す処理フローのようにＶＡＰ更新を行う。すなわち、この端末登録台数（端末アソシエーション数）が予め規定された閾値以下か否かを判断し（ステップＳ６１）、閾値以下の場合は（ステップＳ６１のＹ）、基地局１５、１６、１７で新たなＶＡＰ５１を構成するように設定する（ステップＳ６２）。端末登録台数（端末アソシエーション数）が規定された閾値より多い場合は（ステップＳ６１のＮ）、個別セルの状態として、電話接続のサービスを優先する。また、既に設定されているＶＡＰ２５については、レイアウト変更後の登録端末台数が閾値以下か否かを判断し、閾値より多い場合はＶＡＰを解消して個別セルの状態へ戻す。尚、規定された登録台数の閾値は、無線基地局が同時通話接続可能な端末台数に基づき、事前に無線制御装置１２へ設定しておくものとする。
【００１８】
以上のように、この実施の形態２の無線通信システムにおいては、レイアウト変更後に、端末登録情報を無線基地局をとおして取得し、各無線基地局の端末を登録するとともに、各無線基地局の登録端末台数に基づきＶＡＰの構成を自動的に更新するようにしたので、レイアウト変更時の置局設定操作の作業が不要となるとともに、周波数の有効利用可能な無線通信システムを得ることができる。
【００１９】
実施の形態３．
以下、この発明の実施の形態３を説明する。複数の基地局間の関係をＶＡＰに設定するか否かを、上記実施の形態２では、無線制御装置１２が各無線基地局に登録された携帯端末の台数を加算して判断したが、この発明の実施の形態３では、各無線基地局に登録された携帯端末の呼量を考慮する。レイアウト変更前の無線通信システムの構成状態は実施の形態１、２と同様とする。図７は、各無線基地局に登録された携帯端末の過去一定期間の呼量データを端末ＩＤごとに示したものであり、無線制御装置１２に呼量管理テーブルとして登録される。図において、基地局Ａには端末ＩＤが２０１、２０２、２０３、２０４、…、の携帯端末が登録されており、それぞれの呼量は、０．０４、０．１、０．０２、０．０８、…、であり、その合計は０．３６である。また、基地局Ｂには端末ＩＤが２１０、２１１、…、の携帯端末が登録されており、それぞれの呼量は、０．０７、０．０１、…、であり、その合計は０．２８である。
【００２０】
次に、ＶＡＰの設定動作を説明する。図８において、無線制御装置１２は、レイアウト変更後、近接した無線基地局の端末登録台数（端末アソシエーション数）を加算する。そしてこの端末登録台数（端末アソシエーション数）が予め規定された閾値以下か否かを判断し（ステップＳ８１）、閾値より多い場合は（ステップＳ８１のＮ）、個別セルの状態として、電話接続のサービスを優先する。この端末登録台数（端末アソシエーション数）が予め規定された閾値以下の場合は（ステップＳ８１のＹ）、次に、その登録された携帯端末群の呼量の合計を把握する。図７に示す無線基地局ＡおよびＢの場合は、表によると呼量の合計は０．６４となる。そして、ステップＳ８２において、この呼量が規定された呼量の閾値以下か否かを判断し、閾値以下と判断した場合は（ステップＳ８２のＹ）、無線基地局Ａ、Ｂで新たなＶＡＰを構成するように設定する（ステップＳ８３）。呼量が規定された呼量の閾値より多い場合は（ステップＳ８２のＮ）、個別セルの状態として、電話接続のサービスを優先する。尚、ステップＳ８１において、閾値より多い場合は（ステップＳ８１のＮ）個別セルの状態としているが、さらに呼量の合計を判定し、これが規定の閾値以下の場合はＶＡＰを構成するようにしてもよい。
【００２１】
以上のように、この実施の形態３の無線通信システムにおいては、レイアウト変更後に、端末登録情報を無線基地局をとおして取得し、各無線基地局ごとに携帯端末を登録するとともに、登録された携帯端末の台数の合計および呼量の合計に基づきＶＡＰの構成を自動的に更新するようにしたので、実施の形態２の効果に加え、登録端末数が少なくてもユーザーごとの呼量が大きいセクションがある場合等にも最適な置局設計を容易に行うことが可能な無線通信システムを得ることができる。
【図面の簡単な説明】
【００２２】
【図１】この発明の実施の形態１に係る無線通信システムのブロック図である。
【図２】この発明の実施の形態１に係るフロア概略図である。
【図３】この発明の実施の形態１に係る無線通信システムのブロック図である。
【図４】この発明の実施の形態１に係るレイアウト変更後のフロア概略図である。
【図５】この発明の実施の形態２に係るフロア概略図である。
【図６】この発明の実施の形態２に係るＶＡＰ設定処理のフローチャートである。
【図７】この発明の実施の形態３に係る無線制御装置の呼量管理テーブルである。
【図８】この発明の実施の形態３に係るＶＡＰ設定処理のフローチャートである。
【符号の説明】
【００２３】
１２  無線制御装置、１３  無線基地局、１４  無線基地局、１５  無線基地局、
１６  無線基地局、１７  無線基地局、１８  無線基地局、１９  サービスエリア、
２０  サービスエリア、２１  サービスエリア、２２  サービスエリア、
２３  サービスエリア、２４  サービスエリア、２５  ＶＡＰ（仮想無線基地局）、
２６  ＶＡＰ（仮想無線基地局）、２７  携帯端末（携帯端末群）、
３１  ＶＡＰ（仮想無線基地局）、５１  ＶＡＰ（仮想無線基地局）。
【図１】
2008306429.tif 000003
【図２】
2008306429.tif 000004
【図３】
2008306429.tif 000005
【図４】
2008306429.tif 000006
【図５】
2008306429.tif 000007
【図６】
2008306429.tif 000008
【図７】
2008306429.tif 000009
【図８】
2008306429.tif 000010